(57)【特許請求の範囲】
【請求項１】
空間を照明する埋込型照明器具であって、
前記空間の側に第１開口を有し、前記空間の仕上板に形成された埋込孔に埋設される器具本体と、
前記空間の側に第２開口を有し、前記第１開口から挿入されて固定具により前記器具本体に取り付けられた反射板と、
前記器具本体と前記反射板との隙間を塞ぐようにその隙間に前記第１開口に沿って環状に取り付けられた反射板パッキンとを備え、
前記器具本体は、前記第１開口の周縁から前記器具本体が埋設される方向に立ち上がる第１周壁と、第１開口の周縁から前記第１開口を含む面に沿って外方に延びるように前記第１周壁に接続される第１鍔部とを含み、
前記反射板は、前記第２開口の周縁から前記埋設される方向に立ち上がる第２周壁と、前記第２開口の周縁から第２開口を含む面に沿って外方に延びるように前記第２周壁に接続される第２鍔部とを含み、
前記反射板パッキンの断面は、前記第２周壁の外周面に沿って立ち上がる傾斜部と、前記傾斜部の前記空間側の端部から第２鍔部に沿って延びるように接続され、前記第１周壁と前記第２鍔部との間に挟まれる脚部と、前記傾斜部の中間部分から外方に延びるように接続され、前記器具本体に前記反射板が取り付けられたときに屈曲する腕部とを含む、埋込型照明器具。
【発明の詳細な説明】
【技術分野】
【０００１】
この発明は埋込型照明器具に関し、特に空間を照明する埋込型照明器具に関するものである。
【背景技術】
【０００２】
室内等の空間の天井板に形成された埋込孔に埋設される埋込型照明器具がある。例えば、特許文献１に開示された埋込型照明器具は、器具本体と、下面に開口を有し器具本体に取り付けられる反射板と、反射板の内方に向かうように器具本体に取り付けられたソケットとを備えている。反射板にはソケットを挿通させるための第１孔と、反射板を器具本体に取り付けるための取付ボルトを挿通させるための第２孔が形成されている。ソケットは第１孔に挿通され、ソケットの反射板より外方部分には、その部分の周面を覆うようにソケットパッキンが取り付けられている。ソケットパッキンは、反射板側の肉厚である開口端が反射板の外面に密着し、反射板側の反対側に形成された円筒部がソケットの周面と密着している。このソケットパッキンにより、反射板に形成された上記第１孔とソケットとの隙間が塞がれ、第１孔を介しての空間側と天井裏との空気の流れが遮断される。このようにして空間の気密性が確保されている。
【０００３】
例えば、特許文献２に開示された埋込型照明器具は、下面に第１開口を有する器具本体と、下面に第２開口を有し、第１開口から挿入されて取付ボルトにより器具本体に取り付けられる反射板とを備えている。器具本体には第１開口の周縁から水平に外方に延びるように鍔部が形成され、反射板には、第２開口の周縁から水平に外方に延びるように鍔部が形成されている。そして、天井板と器具本体の鍔部とが接触するように器具本体が天井板に取り付けられ、器具本体の第１開口周縁部分と反射板の鍔部が接触するように反射板が器具本体に取り付けられている。天井板と器具本体の鍔部との間には気密性を確保するためのパッキンが環状に取り付けられている。
【先行技術文献】
【特許文献】
【０００４】
【特許文献１】特開２００５−２８５３６２号公報
【特許文献２】特許２９３４５８５号公報
【発明の概要】
【発明が解決しようとする課題】
【０００５】
上記のような従来の埋込型照明器具では、例えば特許文献１に開示された埋込型照明器具の場合、反射板に形成された取付ボルトを挿通させるための第２孔と取付ボルトとの隙間が密閉されていない。そのため、その隙間を介して空間側と天井裏とを空気が流出入してしまい、空間の気密性及び遮音性が低下してしまう。ここで、ソケットパッキンと同様に別部品として取付ボルトにもパッキンを取り付けて気密性を確保することも考えられる。しかし、この場合は部品の種類が増え効率的ではなく、照明器具の施工性を低下させてしまうおそれもある。
【０００６】
又、例えば特許文献２に開示された埋込型照明器具の場合、上記第１開口周縁において、器具本体と反射板との間にパッキンが取り付けられていない。そのため、部品の成形精度や施工精度等から器具本体と反射板との間に隙間が生じた場合は、器具本体と反射板との隙間から空気が流出入して、空間の気密性が低下してしまう。
【０００７】
この発明は、上記のような課題を解決するためになされたもので、効率的に空間の気密性及び遮音性を確保することができる埋込型照明器具を提供することを目的とする。
【課題を解決するための手段】
【０００８】
上記の目的を達成するために、請求項１記載の発明は、空間に設置される埋込型照明器具であって、空間側に第１開口を有し、空間の仕上板に形成された埋込孔に埋設される器具本体と、空間側に第２開口を有し、第１開口から挿入されて固定具により器具本体に取り付けられた反射板と、器具本体と反射板との隙間を塞ぐようにその隙間に前記第１開口に沿って環状に取り付けられた反射板パッキンとを備え、器具本体は、第１開口の周縁から器具本体が埋設される方向に立ち上がる第１周壁と、第１開口の周縁から第１開口を含む面に沿って外方に延びるように第１周壁に接続される第１鍔部とを含み、反射板は、第２開口の周縁から埋設される方向に立ち上がる第２周壁と、第２開口の周縁から第２開口を含む面に沿って外方に延びるように第２周壁に接続される第２鍔部とを含み、反射板パッキンの断面は、第２周壁の外周面に沿って立ち上がる傾斜部と、傾斜部の空間側の端部から第２鍔部に沿って延びるように接続され、第１周壁と第２鍔部との間に挟まれる脚部と、傾斜部の中間部分から外方に延びるように接続され、器具本体に反射板が取り付けられたときに屈曲する腕部とを含むものである。
【０００９】
このように構成すると、反射板パッキンの腕部と脚部とにより器具本体と反射板とが２重に密着される。
【発明の効果】
【００１０】
請求項１記載の発明は、反射板パッキンの腕部と脚部とにより器具本体と反射板とが２重に密着されるため、第１開口の周縁において、器具本体と反射板との間を介しての、空間の気密性及び遮音性を確実に確保することができる。
【図面の簡単な説明】
【００１１】
【図１】この発明の第１の実施の形態による埋込型照明器具の概略構成を示した平面図である。
【図２】図１で示したＩＩ−ＩＩラインの端面図である。
【図３】図１で示したＩＩＩ−ＩＩＩラインの端面図である。
【図４】図２及び図３で示したソケットパッキンの概略斜視図である。
【図５】図２で示したＡ部分の拡大図である。
【図６】この発明の第２の実施の形態による埋込型照明器具の概略構成を示した端面図である。
【図７】図６で示したソケットパッキンの概略斜視図である。
【図８】この発明の第３の実施の形態による埋込型照明器具の概略構成を示した端面図である。
【図９】図８で示したソケットパッキンの概略斜視図である。
【発明を実施するための形態】
【００１２】
次に、発明の実施の形態について図を用いて説明する。
【００１３】
図１はこの発明の第１の実施の形態による埋込型照明器具の概略構成を示した平面図であり、図２は図１で示したＩＩ−ＩＩラインの端面図であり、図３は図１で示したＩＩＩ−ＩＩＩラインの端面図である。図１については、天井板４０の記載を省略している。
【００１４】
図１、図２及び図３を参照して、埋込型照明器具２０は、空間を照明するように、空間の仕上板である天井板４０に設置されている。天井板４０には平面視円形形状の埋込孔４１が形成されている。埋込型照明器具２０は、空間側である下面に第１開口２２を有すると共に埋込孔４１に埋設される器具本体２１と、下面に第２開口３３を有すると共に第１開口２２から挿入されて、固定具である取付ボルト５８に取付ナット５９を螺合させることにより器具本体２１に取り付けられる反射板３２とを備えている。器具本体２１には取付ネジ４７を介してソケット４３が取り付けられ、ソケット４３にはランプ４２の口金が挿着されている。第１開口２２及び第２開口３３は平面視円形形状に形成されている。空間とは、事務室、店舗の室内、居間、食事室、寝室、和室、玄関、廊下、階段室、洗面室、便所、気密性を確保したい室内等である。
【００１５】
器具本体２１は、第１開口２２を開口とする椀形状に形成され、第１開口２２の周縁から器具本体２１が埋設される方向に立ち上がる第１周壁２４と、第１開口２２の周縁から第１開口２２を含む面に沿って外方に延びるように第１周壁２４に一体的に接続される平面視円環状の第１鍔部２５と、第１周壁２４の上端から一体的に接続される奥壁２３とを備えている。第１周壁２４には、ソケット４３が挿通される孔２６と本体取付金具６１が突出される突出口２９が形成され、奥壁２３には取付ボルト５８が挿通される孔２７が形成されている。孔２７の周縁には、内周面が取付ボルト５８の回り止めの役割を果たす形状からなる筒状部２８が上方に突出するように形成されている。
【００１６】
本体取付金具６１は、器具本体２１を埋込孔４１に埋設して天井板４０に固定するための部品である。本体取付金具６１は例えば可撓性のある帯状の金属板からなり、両端にバネキャップ６２が取り付けられ、中央に取付ボルト５８を挿通させるための孔６４が形成されている。突出口２９は、本体取付金具６１より僅かに幅を大きくした上下方向に伸びる帯状に形成されている。バネキャップ６２には、バネキャップ６２が器具本体２１の内方から外方に向かって外れてしまわないように本体取付金具６１の幅方向に延びる鍔部６３が形成されている。本体取付金具６１は、器具本体２１を天井板４０に取り付けた状態では、図３で示したように、器具本体２１の内面にバネキャップ６２の鍔部６３が当接させながら突出口２９から突出し、天井板４０の上面を押圧しながら天井板４０の上面に沿って延びた後、上方に湾曲し、突出口２９の上端を押圧しながら器具本体２１の内方に戻ってくる形状となっている。そして、本体取付金具６１は、中央の取付ボルト５８の軸を基準とした左右対称の形状に構成されている。
【００１７】
反射板３２は、第２開口３３を開口とする椀形状に形成され、第２開口３３の周縁から器具本体２１が埋設される方向に立ち上がる第２周壁３５と、第２開口３３の周縁から第２開口３３を含む面に沿って外方に延びるように第２周壁３５に一体的に接続される平面視円環状の第２鍔部３６と、第２周壁３５の上端から一体的に接続される奥壁３４とを備えている。第２周壁３５には、ソケット４３が挿通される孔３７が形成され、奥壁３４には取付ボルト５８が挿通される孔３８が形成されている。又、反射板３２の内周面には、ランプ４２から発せられる光を反射して空間へ好適に導く反射面が形成されている。
【００１８】
ソケット４３は、器具本体２１に取り付けられるベース部４４と、ベース部４４から器具本体２１の内方に向かって突出するように接続された円筒形状の円筒部４５とから構成されている。円筒部４５は、円筒部４５の軸方向が反射板３２の内方に向かうように、即ちランプ４２の挿着口が反射板３２の内方に向かうように配置されている。ベース部４４の外面には図示しない電気配線が接続される端子台４６が取り付けられている。ソケット４３と端子台４６とは電気的に接続し、電気配線からの電流が端子台４６及びソケットを介してランプ４２に伝わり、ランプ４２が点灯する。
【００１９】
更に、埋込型照明器具２０は、反射板３２の外面の一部を覆うように配置されたソケットパッキン４９と、器具本体２１と反射板３２との隙間を塞ぐようにその隙間に第１開口２２に沿って環状に取り付けられた反射板パッキン６５と、器具本体２１と天井板４０との隙間を塞ぐようにその隙間に埋込孔４１に沿って環状に取り付けられた枠パッキン６９とを備えている。
【００２０】
次にソケットパッキン４９、反射板パッキン６５及び枠パッキン６９について説明する。
【００２１】
図４は図２及び図３で示したソケットパッキンの概略斜視図であり、図５は図２で示したＡ部分の拡大図である。
【００２２】
図４を参照して、ソケットパッキン４９は、例えばシリコンゴムからなり、中央部で折り曲げられた形状を有し、水平部５０と、水平部５０と一体的に接続される傾斜部５１とを備えている。折り曲げられた部分にはソケット４３が挿入されるソケット挿入孔５２が形成され、水平部５０の中央には取付ボルト５８が挿通される取付孔５３が形成され、ソケット挿入孔５２及び取付孔５３を囲むようにして反射板３２の外面と接触する接触片５４・５５とが形成されている。接触片５４と接触片５５とはソケットパッキン４９の反射板３２側の面の周縁に、接触片５４が外側、接触片５５が内側となるように平行に環状に、反射板３２の外面に向かって突出して形成されている。水平部５０の上方には、本体取付金具６１を挿通させるための切欠５６が形成されている。
【００２３】
ここで、図２に戻って、ソケットパッキン４９は、ソケットパッキン４９全体、ソケット挿入孔５２及び取付孔５３の周縁部分が、器具本体２１側へ向かって一体的に立ち上がるように形成されている。反射板３２が取付ボルト５８により器具本体に取り付けられるときに、各々の上記立上り部分は、器具本体２１の内面、ソケット４３のベース部４４、本体取付金具６１に当接し、ソケットパッキン４９は安定して配置される。又、接触片５４及び接触片５５の先端は、反射板３２の外面に押圧されて僅かに変形し、全周に渡って反射板３２の外面と密着する。更に、ソケット挿入孔５２は、ソケット４３の円筒部４５の外周面に接触して密着するように設定され、取付孔５３は取付ボルト５８の軸部分の外周面に接触して密着するように設定されている。したがって、１つの部品であるソケットパッキン４９により、ソケット挿入孔５２及び取付孔５３を介しての空間側と器具本体２１側との間の空気の流出入が遮断される。
【００２４】
図５を参照して、反射板パッキン６５は、例えばシリコンゴムからなり、断面が、第２周壁３５の外周面に沿って立ち上がる傾斜部６６と、傾斜部６６の空間側の端部から第２鍔部３６に沿って延びるように接続された脚部６７と、傾斜部６６の中間部分から外方に延びるように接続された腕部６８とから構成されている。脚部６７は、換言すれば、傾斜部６６の下方端部から水平に外方に延びるように接続され、腕部６８は、換言すれば、傾斜部６６の中間部分から水平よりやや下方に向かって外方に延びるように接続されている。傾斜部６６は、第２周壁３５の外周面の傾斜に合わせて傾斜し、その外周面と接触するように形成されている。ところで、器具本体２１の第１周壁２４と第１鍔部２５との角部には、反射板３２の第２鍔部が嵌合する嵌合部３０が第１開口２２に沿って形成されている。そして、器具本体２１に反射板３２を取り付けるときには、第２鍔部３６が嵌合部３０に嵌合することにより、器具本体２１に対して反射板３２が適切に位置決めされる。器具本体２１に反射板３２を取り付けたときに、脚部６７は第１周壁２４と第２鍔部３６との間に挟まれ、腕部６８は、第１周壁２４の内面に押圧されながら下方に屈曲する。このようにして、器具本体２１と反射板３２との隙間が腕部６８と脚部６７とにより、第１開口２２に沿って環状に２重に密着される。反射板パッキン６５は、傾斜部６６、腕部６８及び脚部６７が上記のように構成されているため、反射板パッキン６５により、第１開口２２周縁において、器具本体２１と反射板３２との隙間を介しての空気の流出入が確実に遮断される。
【００２５】
枠パッキン６９は、例えばシリコンゴムからなり、断面が、第１鍔部２５の上面に沿って水平に延びるベース部７０と、ベース部７０の内周側端部から上方に立ち上がる傾斜部７１と、ベース部７０の外周側端部から上方に立ち上がる接触片７３と、ベース部７０の中間部分から上方に立ち上がる接触片７２とから構成されている。傾斜部７１は、第１周壁２４の傾斜より第１周壁２４の内方に向かうように僅かに大きく傾斜している。よって、枠パッキン６９を器具本体２１の図５に示した所定の位置に取り付けると、傾斜部７１の上端が第１周壁２４の外周面に接触する。又、接触片７３は、接触片７２と比較して高さが僅かに高くなるように設定されている。
【００２６】
このように構成される枠パッキン６９が取り付けられた器具本体２１が天井板４０の埋込孔４１に取り付けられると、ベース部７０は天井板４０の下面と第１鍔部２５との間に挟まれる。そして、接触片７３と接触片７２とが天井板の下面に押圧され僅かに圧縮するように変形する。外周側である接触片７３が僅かに高く設定されているため、枠パッキン６９の外周部分で確実に天井板４０と接触するようになっている。更に、接触片７３に続いて接触片７２が押圧されることにより接触片７２も天井板４０と接触し、埋込孔４１に沿って環状に２重に接触される。したがって、枠パッキン６９により、埋込孔４１の周縁において、器具本体２１と天井板４０との隙間を介しての空気の流出入が確実に遮断される。
【００２７】
次に、埋込型照明器具２０の取付方法について説明する。
【００２８】
図３に戻って、先ず、器具本体２１の孔２７に上方から取付ボルト５８を挿通させる。又、枠パッキン６９及びソケット４３を器具本体２１の所定の位置に取り付ける。次に、天井板４０の所定の大きさの平面視円形形状に開口された埋込孔４１に、器具本体２１を第１開口２２が下向きになるようにして挿入する。次に、本体取付金具６１を中央の孔６４が取付ボルト５８に向かうように、両端近傍が突出口２９に向かうように第１開口２２から撓ませながら押し上げる。次に、孔６４に取付ボルト５８を挿通させ、本体取付金具６１の両端近傍を、バネキャップ６２の鍔部６３が器具本体２１の内周面に当接するまで突出口２９から突出させる。そして、取付ボルト５８に中間ナット６０を螺合させて本体取付金具６１を固定する。天井板４０が、本体取付金具６１と枠パッキン６９を介した第１鍔部２５とに押圧されながら挟まれることにより、器具本体２１は天井板４０に固定される。
【００２９】
次に、ソケットパッキン４９のソケット挿入孔５２にソケット４３の円筒部４５を挿通させ、ソケットパッキン４９の取付孔５３に取付ボルト５８を挿通させ、ソケットパッキン４９を所定の位置に配置する。次に、反射板３２の孔３７にソケット４３の円筒部４５を挿通させ、反射板３２の孔３８に取付ボルト５８を挿通させる。次に、取付ナット５９を取付ボルト５８に螺合させて、反射板パッキン６５が取り付けられた反射板３２を固定する。取付ナット５９を所定の位置まで締め付けると、ソケットパッキン４９の接触片５４・５５は反射板３２の外周面に押し付けられて密着する。又、反射板パッキン６５は、器具本体２１の第１周壁２４と反射板３２の第２鍔部３６とに押圧されながら挟まれた状態となる。このようにして、埋込型照明器具２０は天井板４０に埋設して取り付けられる。
【００３０】
以上から上記のように構成される埋込型照明器具２０では、１つのソケットパッキン４９により、反射板３２に形成されたソケット挿入孔５２と取付孔５３とを介しての、空間側と器具本体２１側との間の空気の流出入が遮断される。ソケット挿入孔５２と取付孔５３に別々にパッキンを設けず、上記２つの孔の隙間を１つの部品で同時に密閉することができるため、効率的に空間の気密性及び遮音性を確保することができる。
【００３１】
又、反射板パッキン６５により、第１開口２２周縁において、器具本体２１と反射板３２との隙間を介しての空気の流出入が確実に遮断される。そのため、第１開口２２の周縁において、器具本体２１と反射板３２との間を介しての、空間の気密性及び遮音性を確実に確保することができる。
【００３２】
又、枠パッキン６９により、埋込孔４１の周縁において、器具本体２１と天井板４０との隙間を介しての空気の流出入が確実に遮断される。そのため、器具本体２１と天井板４０との間を介しての、空間の気密性及び遮音性を確実に確保することができる。
【００３３】
又、ソケットパッキン４９、反射板パッキン６５及び枠パッキン６９により、埋込孔４１全体を介しての、空間側と器具本体２１外方側との空気の流出入が遮断される。そのため、埋込孔４１全体を介しての、空間の気密性及び遮音性を向上させることができる。
【００３４】
又、ソケット４３の円筒部４５が反射板３２の孔３７を挿通して反射板３２の内方に突出しているため、反射板３２を器具本体２１に取り付けるときに、取付ボルト５８の軸を中心とした反射板３２の回転が阻止される。よって、反射板３２を容易に取り付けることができる。
【００３５】
図６は、この発明の第２の実施の形態による埋込型照明器具の概略構成を示した端面図であり、先の第１の実施の形態の図２に対応した図である。図７は図６で示したソケットパッキンの概略斜視図であり、先の第１の実施の形態の図４に対応した図である。第２の実施の形態は、基本的な構成は先の第１の実施の形態による埋込型照明器具２０と共通するので異なる点を中心に説明する。
【００３６】
図６を参照して、第２の実施の形態による埋込型照明器具８０では、ランプ４２、ソケット４３及びソケットパッキン８４の形状が異なる。特に、ソケットパッキン８４には下方に柱状に突出した係止部８６が形成されている。そして、反射板３２にはその係止部８６が挿通される係止孔８３が更に形成されている。又、埋込型照明器具８０では、反射板３２及びソケット４３が、天板８１を介して器具本体２１に取り付けられ、ソケット４３は反射板３２より外方に位置し、孔３７を挿通して反射板３２の内方に突出していない。
【００３７】
天板８１は、側面視Ｌ字状を有し、短辺側にソケット４３が取り付けられ、長辺側の先端及びそれより所定の距離だけ後退した位置に折曲げ加工等による爪が形成されている。これらの爪が奥壁２３に嵌合しながら器具本体２１に取り付けられている。天板８１には、反射板３２を取り付けるための固定具である取付ネジ８２を挿通させるための孔８７が形成されている。
【００３８】
ソケット４３は、ランプ４２の挿着孔が反射板３２の内方に向かうように取り付けられ、反射板３２側が円筒状に形成され、その先端部分はそれより大径とした円筒部８８が構成されている。又、器具本体２１と反射板３２との間には、反射板３２の外面を覆うようにソケットパッキン８４が配置されている。
【００３９】
図７を参照して、ソケットパッキン８４は、例えばシリコンゴムからなり、一部が矩形形状に突出した矩形部分８５を有する水平部５０と、水平部５０と一体的に接続される傾斜部５１とを備えている。傾斜部５１から水平部５０に至る部分にはソケット４３が挿入されるソケット挿入孔５２が形成され、水平部５０の矩形部分８５には取付ネジ８２が挿通される取付孔５３と、下方に即ち反射板３２に向かって柱状に突出した係止部８６とが形成され、ソケット挿入孔５２及び取付孔５３を囲むようにして反射板３２の外面と接触する接触片５４・５５とが形成されている。接触片５４と接触片５５とはソケットパッキン４９の反射板３２側の面の周縁に、接触片５４が外側、接触片５５が内側となるように環状に形成されている。反射板３２の係止孔８３の大きさは、上記係止部８６を挿通することができるように、係止部８６の軸に直交する断面における係止部８６の外形より若干大きくなるように設定されている。
【００４０】
ここで、図６に戻って、ソケットパッキン８４は、ソケットパッキン４９全体、矩形部分８５の周縁部分が、器具本体２１側へ向かって一体的に立ち上がるように形成されている。反射板３２が取付ネジ８２により器具本体２１に取り付けられるときに、各々の上記立上り部分は、器具本体２１の内面及び天板８１の内面に当接し、ソケットパッキン４９は安定して配置される。又、接触片５４及び接触片５５の先端は、反射板３２の外面に押圧されて僅かに変形し、全周に渡って反射板３２の外面と密着する。更に、ソケット挿入孔５２は、ソケット４３の円筒部８８の外周面に接触するように設定され、ソケット挿入孔５２の両開口端には、円筒部８８が接触して所定の位置に嵌め合わされるように立上り部分８９が環状に形成されている。ソケット挿入孔５２がソケット４３に対してこのように形成されているため、ソケットパッキン８４は安定して配置される。又、取付孔５３は取付ネジ８２の軸部分の外周面に接触するように設定されている。したがって、ソケットパッキン４９により、ソケット挿入孔５２及び取付孔５３を介しての空間側と器具本体２１側との間の空気の流出入が遮断される。
【００４１】
次に、埋込型照明器具８０の取付方法について説明する。
【００４２】
図６を参照して、孔８７に取付ネジ８２を挿通し、天板８１を器具本体２１に取り付けた状態で埋込型照明器具２０と同様に、器具本体２１を固定する。次に、ソケットパッキン８４のソケット挿入孔５２にソケット４３の円筒部８８を嵌め合わせ、ソケットパッキン４９の取付孔５３に取付ネジ８２を挿通させ、ソケットパッキン８４を所定の位置に配置する。次に、反射板３２の孔３８に取付ネジ８２を挿通させ、反射板３２の係止孔８３にソケットパッキン８４の係止部８６を挿通させる。次に、取付ナット５９を取付ネジ８２に螺合させることにより、反射板パッキン６５が取り付けられた反射板３２を固定する。このとき、係止部８６が係止孔８３に挿通されているため、取付ネジ８２の軸を中心とした反射板３２の回転が阻止される。そして、取付ナット５９を所定の位置まで締め付けると、ソケットパッキン８４の接触片５４・５５は反射板３２の外周面に押し付けられて密着する。このようにして、埋込型照明器具８０は天井板４０に埋設して取り付けられる。尚、反射板パッキン６５及び枠パッキン６９の取付状態は、埋込型照明器具２０と同様である。
【００４３】
以上から上記のように構成される埋込型照明器具８０では、埋込型照明器具２０と同様にソケットパッキン８４、反射板パッキン６５及び枠パッキン６９により空間の気密性及び遮音性を確保することができることに加えて、取付ネジ８２の軸を中心とした反射板３２の回転が阻止されるため、反射板３２の器具本体２１への取付けが容易となる。
【００４４】
図８は、この発明の第３の実施の形態による埋込型照明器具の概略構成を示した端面図であり、先の第２の実施の形態の図６に対応した図である。図９は図８で示したソケットパッキンの概略斜視図であり、先の第２の実施の形態の図７に対応した図である。第３の実施の形態は、基本的な構成は先の第２の実施の形態による埋込型照明器具８０と共通するので異なる点を中心に説明する。
【００４５】
図８及び図９を参照して、第２の実施の形態による埋込型照明器具８０では、係止部８６がソケットパッキン８４に形成されていたが、第３の実施の形態による埋込型照明器具９０では、係止部９１が器具本体２１に設けられている。それに伴い、ソケットパッキン９４には、係止部８６に代えて係止部９１が挿通される貫通孔９３が形成されている。尚、係止部９１は、器具本体２１と一体的に成形されても、別部材として器具本体２１に取り付けられても、いずれの構成であってもよい。
【００４６】
反射板３２には、係止部９１が挿通される係止孔８３が形成されている。係止部９１は、下方に即ち反射板３２に向かって柱状に突出して形成され、ソケットパッキン９４の貫通孔９３は、係止部９１に接触するように設定されている。そのため、ソケットパッキン９４により、貫通孔９３を加えて、ソケット挿入孔５２及び取付孔５３を介しての空間側と器具本体２１側との間の空気の流出入が遮断される。又、反射板３２の係止孔８３の大きさは、上記係止部９１を挿通することができるように、係止部９１の軸に直交する断面における係止部９１の外形より若干大きくなるように設定されている。そして、係止部９１が係止孔８３に挿通されているため、取付ネジ８２の軸を中心とした反射板３２の回転が阻止される。
【００４７】
以上から上記のように構成される埋込型照明器具９０では、埋込型照明器具２０と同様にソケットパッキン９４、反射板パッキン６５及び枠パッキン６９により空間の気密性及び遮音性を確保することができることに加えて、取付ネジ８２の軸を中心とした反射板３２の回転が阻止されるため、反射板３２の器具本体２１への取付けが容易となる。
【００４８】
尚、上記の各実施の形態では、ソケットパッキン、反射板パッキン及び枠パッキンの３つのパッキンが取り付けられている構成となっているが、ソケットパッキンのみ、反射板パッキンのみの構成であってもよい。
【００４９】
又、上記の各実施の形態では、第１開口及び第２開口が平面視円形形状に形成されているが、反射板パッキン及び枠パッキンを環状に配置することができれば、他の形状に形成されてもよい。
【００５０】
更に、上記の各実施の形態では、器具本体が本体取付金具により天井に固定されているが、枠パッキンが天井板と第１鍔部との間に押圧されながら挟まれれば、他の取付方法により固定されてもよい。
【００５１】
更に、上記の各実施の形態では、ソケットパッキンに接触片が環状に２つ形成されているが、ソケット挿入孔及び取付孔を囲んで反射板の外面と接触していれば、１つでもよい。
【００５２】
更に、上記の各実施の形態では、埋込型照明器具が天井板に埋設されているが、空間の仕上板に埋設されれば、壁板や床板に埋設されてもよい。
【００５３】
更に、上記の第２及び第３の実施の形態では、係止部とそれに伴う係止孔、貫通孔が形成されているが、それらはなくてもよい。
【符号の説明】
【００５４】
２０，８０，９０    埋込型照明器具
２１    器具本体
２２    第１開口
２４    第１周壁
２５    第１鍔部
３２    反射板
３３    第２開口
３５    第２周壁
３６    第２鍔部
３７，３８，６４    孔
４０    天井板
４１    埋込孔
４２    ランプ
４３    ソケット
４９，８４，９４    ソケットパッキン
５２    ソケット挿入孔
５３    取付孔
５４，５５    接触片
５８    取付ボルト
６５    反射板パッキン
６６    傾斜部
６７    脚部
６８    腕部
６９    枠パッキン
８２    取付ネジ
８３    係止孔
８６，９１    係止部
９３    貫通孔
【図１】
0005225455.tif 000002
【図２】
0005225455.tif 000003
【図３】
0005225455.tif 000004
【図４】
0005225455.tif 000005
【図５】
0005225455.tif 000006
【図６】
0005225455.tif 000007
【図７】
0005225455.tif 000008
【図８】
0005225455.tif 000009
【図９】
0005225455.tif 000010